(57)【要約】【課題】記録媒体を載置しないトレイを進入させる際に、クランプ動作を行わせずにクランプ音の発生を防止するディスク装置を提供する。【解決手段】ディスク装置１００に、ディスクトレイ５０と、ターンテーブル２４と、ピックアップ３７と、ディスクの搬送経路に対する待避状態および処理状態にターンテーブル２４が取り付けられた本体部２０を移動させる移動カム６８と、ディスクを検出するとともに、本体部２０の待避状態を検出する発光部７０および受光部と、これら発光部７０および受光部によりディスクがディスクトレイ５０に載置されていないことを検出するとともに本体部２０が待避状態であることを示す遮光突起部６８Ｄを検出すると本体部２０を待避状態に維持させて移動カム６８を停止させる制御部と、を設けた。【選択図】図３
2009223993.tif 000002
【特許請求の範囲】
【請求項１】
略枠状のシャーシと、
このシャーシの内外に進退可能に配設され、ディスク状記録媒体を前記シャーシの内外へ搬送する搬送手段と、
前記シャーシ内に配設され、前記ディスク状記録媒体を保持し、保持された前記ディスク状記録媒体に記録された情報の読取処理および前記ディスク状記録媒体に情報を記録する記録処理のうち少なくともいずれか一方を実施する処理手段と、
前記ディスク状記録媒体を搬送する際に搬送される前記ディスク状記録媒体の搬送経路から待避する待避状態、および、前記読取処理および前記記録処理のうち少なくともいずれか一方を実施する際に前記搬送経路に進出して前記ディスク状記録媒体に処理する処理状態に前記処理手段を移動させる処理移動手段と、
前記処理手段で前記読取処理および前記記録処理のうち少なくともいずれか一方を実施する際の前記ディスク状記録媒体の処理位置を検出するとともに、前記処理手段の待避状態を検出する光学的検出手段と、
この光学的検出手段により前記ディスク状記録媒体が前記処理位置に位置しないことを検出するとともに前記処理手段が待避状態であることを検出すると、前記処理手段を待避状態に維持させて前記処理移動手段を停止させる移動制御手段と、
を備えたことを特徴とするディスク装置。
【請求項２】
請求項１に記載のディスク装置において、
前記処理移動手段は、前記処理手段を保持する処理手段保持部と、この処理手段保持部を前記待避状態および前記処理状態に移動させる移動カムとを有し、
前記移動カムには、前記処理手段保持部が前記待避状態にある際に前記光学的検出手段に検出される検出部が設けられた
ことを特徴とするディスク装置。
【請求項３】
請求項２に記載のディスク装置において、
前記処理手段保持部は、係合ピンを有し、
前記移動カムは、前記係合ピンに係合する案内孔を有し、
前記案内孔には、前記処理手段が前記待避状態を維持する状態に前記係合ピンに係合する第１の待避位置維持孔と、この第１の待避位置維持孔に連続し前記係合ピンを前記待避状態または前記処理状態に移動させる傾斜案内孔が形成され、
前記第１の待避位置維持孔の長さ寸法は、前記ディスク状記録媒体が前記処理位置に搬送された際に前記係合ピンが前記傾斜案内孔に案内される場合での第２の待避位置維持孔の長さ寸法よりも大きく設定された
ことを特徴とするディスク装置。
【請求項４】
請求項３に記載のディスク装置において、
前記第１の待避位置維持孔の前記移動カムにおける移動方向の仮想延長線に対する前記傾斜案内孔の第１の傾斜角度は、前記第２の待避位置維持孔の仮想延長線に対する前記傾斜案内孔の第２の傾斜角度よりも大きく設定された
ことを特徴とするディスク装置。
【請求項５】
請求項１ないし請求項４のいずれかに記載のディスク装置において、
前記搬送手段は、前記ディスク状記録媒体を保持して前記シャーシの内外へ移動するトレイを備え、
このトレイは、大径の前記ディスク状記録媒体を載置可能な大径ディスク載置凹部と、この大径ディスク載置凹部の内部に設けられ、前記大径のディスク状記録媒体よりも径寸法が小さい小径の前記ディスク状記録媒体を載置可能な小径ディスク載置面と、を有し、
この小径ディスク載置面は、前記光が透過する透過孔を有し、
前記光学的検出手段は、前記透過孔を介して前記ディスク状記録媒体が前記処理位置に位置しないこと検出する
ことを特徴とするディスク装置。
【発明の詳細な説明】
【技術分野】
【０００１】
ディスク状記録媒体に処理を実施するディスク装置に関する。
【背景技術】
【０００２】
従来、シャーシの内外に進退可能に設けられたトレイと、ピックアップなどの処理手段とを備えたディスク装置が知られている。このようなディスク装置として、ピックアップ保持部を上下移動させる移動カムが配設されたものや筐体内の記録媒体の有無を検出する記録媒体有無検出手段が設けられたものが知られている（例えば、図１３、特許文献１および２参照）。
【０００３】
図１３には、移動カム９がシャーシにトレイの進入が完了した際の状態が示されている。移動カム９には、ピックアップ保持部２の係合ピン２Ａが係合する係合孔９Ａが形成されている。この係合孔９Ａには、係合ピン２Ａを待避位置に維持する第２の待避状態維持孔９Ａ１と、係合ピン２Ａを待避位置または情報処理位置に案内する傾斜案内孔９Ａ２とが設けられている。ここで、第２の待避状態維持孔９Ａ１の傾斜案内孔９Ａ２側の端部には、鎖線で示す係合ピン２Ａが係合している。この後、移動カム９は図１３に示す左側に移動し、ピックアップ保持部２は上方に移動する。また、傾斜案内孔９Ａ２は、第２の待避状態維持孔９Ａ１の仮想延長線９Ｂに対して所定の角度βで傾斜した構成が採られている。
【０００４】
特許文献１には、ディスク状のメディアが載置される載置部材が、駆動手段により装置本体に対して搬入・搬出されるディスクローディング装置である。このディスクローディング装置には、ディスクをスピンドルモータに固定するクランパが設けられた構成が採用されている。
【０００５】
特許文献２には、トレイの引き込み完了時、ディスク有無検出センサによってトレイ内のディスクが検出されている場合には、制御部がターンテーブルを保持するサーボメカシャーシを回動させてクランプ動作を行わせるが、ディスクの検出が行われなかった場合、制御部はサーボメカシャーシの回動を行わせず、クランパとターンテーブルとが離された状態がとられるという構成が採用されている。
【０００６】
【特許文献１】特開２００５−３２２２７８号公報
【特許文献２】特開平９−２５１６９６号公報
【発明の開示】
【発明が解決しようとする課題】
【０００７】
しかしながら、従来例および特許文献１では、載置部材としてのトレイにメディアとしてのディスク状記録媒体が載置されない場合でも、トレイの進入動作にともなって、クランプ動作が行われると考えられる。このため、クランプ動作の際にクランプ音が発生して騒音となるおそれがある。
また、特許文献２では、トレイにディスク状記録媒体が載置されない場合でも、トレイの載置面の状態などにより、ディスク状記録媒体を誤って検出してしまい、クランプ動作が行われる場合があると考えられる。この場合もサーボメカシャーシとしてのトラバースメカが移動して騒音が発生するおそれがある。
【０００８】
本発明は、記録媒体を載置しないトレイを進入させる際に、クランプ動作を行わせずにクランプ音の発生を防止するディスク装置を提供することを一つの目的とする。
【課題を解決するための手段】
【０００９】
請求項１に記載の発明は、略枠状のシャーシと、このシャーシの内外に進退可能に配設され、ディスク状記録媒体を前記シャーシの内外へ搬送する搬送手段と、前記シャーシ内に配設され、前記ディスク状記録媒体を保持し、保持された前記ディスク状記録媒体に記録された情報の読取処理および前記ディスク状記録媒体に情報を記録する記録処理のうち少なくともいずれか一方を実施する処理手段と、前記ディスク状記録媒体を搬送する際に搬送される前記ディスク状記録媒体の搬送経路から待避する待避状態、および、前記読取処理および前記記録処理のうち少なくともいずれか一方を実施する際に前記搬送経路に進出して前記ディスク状記録媒体に処理する処理状態に前記処理手段を移動させる処理移動手段と、前記処理手段で前記読取処理および前記記録処理のうち少なくともいずれか一方を実施する際の前記ディスク状記録媒体の処理位置を検出するとともに、前記処理手段の待避状態を検出する光学的検出手段と、この光学的検出手段により前記ディスク状記録媒体が前記処理位置に位置しないことを検出するとともに前記処理手段が待避状態であることを検出すると、前記処理手段を待避状態に維持させて前記処理移動手段を停止させる移動制御手段と、を備えたことを特徴とするディスク装置である。
【発明を実施するための最良の形態】
【００１０】
以下、本発明の一実施形態を図面に基づいて説明する。
【００１１】
［ディスク装置の構成］
まず、本発明の一実施形態に係るディスク装置の概略構成について説明する。
図１は、本発明の一実施形態に係るディスク装置のシャーシの外にディスクトレイが進出した状態を示す平面図である。図２は、シャーシの外にディスクトレイが進出した状態を示す側面図である。図７は、ディスクトレイが進入を完了して所定時間経過した後の移動カムの状態を示す正面図である。図１０は、移動カムと処理状態検出スイッチとの関係を示す正面図である。
【００１２】
図１、２において、ディスク装置１００は金属製の図示しないケース体を有している。
ケース体にはアクリロニトリル−ブタジエン−スチレン（ＡＢＳ；Ａcrylonitrile-
Ｂutadiene-Styrene）などの合成樹脂製のシャーシ１５が設けられている。このシャーシ１５は、長手方向に延びて設けられた２つの側面部１５Ａと、互いの側面部１５Ａの端部に連結された端面部１５Ｂと、側面部１５Ａおよび端面部１５Ｂの内面側に内方に向けて突出する支持リブ１５Ｃと、側面部１５Ａの前面側の端部に架橋するように設けられた開閉駆動配設部１５Ｄとを有し、略長方形枠状に形成されている。
【００１３】
また、シャーシ１５には処理手段保持部としての本体部２０が配設されている。この本体部２０は、例えば金属製の平板枠状に形成された台座部２１と、台座部２１を上下方向に案内するフロートベース２２とを有している。
台座部２１は、開閉駆動配設部１５Ｄ側の一縁が上下方向に回動可能となる状態で、端面部１５Ｂ側の他縁がシャーシ１５の支持リブ１５Ｃに取り付けられている。
フロートベース２２は、台座部２１の一縁に沿う状態で、シャーシ１５と台座部２１との間に取り付けられている。フロートベース２２は、台座部２１の一縁に沿った長手状の取付保持部２２１と、この取付保持部２２１の長手方向の両端部に略垂直に一体的に突設された一対の回動腕部２２２とを有している。
取付保持部２２１の前面には、２つの係合ピン２２１Ａがそれぞれ突設されている。また、取付保持部２２１には、台座部２１の一縁の両端部がフロートゴム２３を介して取り付けられている。そして、取付保持部２２１における、一方の回動腕部２２２側の近傍には、光路切欠き２２１Ｂが形成されている。この光路切欠き２２１Ｂには、発光部７０の光が通過可能に形成されている。
【００１４】
一対の回動腕部２２２の端面部１５Ｂ側の端部は、シャーシ１５の支持リブ１５Ｃに回動可能に軸支されている。台座部２１は、軸支持部が回動することによりディスクに進退する方向である上下方向に案内される。
さらに、図２に示すように、台座部２１には処理手段を構成し、回動先端側に位置してディスク状記録媒体としてのディスクを保持するターンテーブル２４と、このターンテーブル２４を回転可能に支持する回転用電動モータ２４Ａとを有している。
また、台座部２１には、一対のシャフト３１に架橋する状態で保持された移動保持部３６と、この移動保持部３６に支持され処理手段を構成するピックアップ３７とが配設されている。
【００１５】
シャーシ１５には、支持リブ１５Ｃの上方側で水平方向に進退可能に移動するディスクトレイ５０が配設されている。このディスクトレイ５０は、略長方形板状に形成され、ディスクが載置されるトレイ部５１を有している。トレイ部５１には、大径ディスクを載置可能な大径載置凹部５１Ａ１と小径ディスクを載置する小径載置凹部５１Ａ２とが設けられている。
小径載置凹部５１Ａ２は、大径載置凹部５１Ａ１の略中央に位置し、大径載置凹部５１Ａ１よりも一段下がって設けられ、小径ディスク載置面としての小径載置底面５１Ａ３を有している。また、小径載置凹部５１Ａ２の外周壁の近傍には、上下方向に貫通した透過孔としてのトレイ光路孔５１Ａ４が形成されている。ディスクトレイ５０のシャーシ１５への進入が完了した際に、トレイ光路孔５１Ａ４は、発光部７０の光が通過可能に設けられている。
そして、これら大径載置凹部５１Ａ１および小径載置凹部５１Ａ２には、略中央から外周縁に亘って本体部２０の移動保持部３６およびピックアップ３７に対応して開口する開口部５１Ｂが切欠形成されている。また、トレイ部５１の裏面には、長手方向に沿う図示しない係合凹溝部が設けられている。
【００１６】
また、シャーシ１５には、開閉駆動配設部１５Ｄに位置してディスクトレイ５０を進退移動させる開閉駆動手段が配設されている。この開閉駆動手段は、ギヤ、プーリ、無端ベルトなどを備えた駆動伝達部６１と、モータとしての出入用電動モータ６２と、を備えている。そして、開閉駆動手段は、出入用電動モータ６２の駆動により、駆動伝達部６１を介してディスクトレイ５０をシャーシ１５の内外に進退させる。
また、シャーシ１５の開閉駆動配設部１５Ｄには、取付保持部２２１の前面に沿って移動可能な移動カム６８が配設されている。移動カム６８は、ディスクの搬送経路に近接した処理状態またはディスクの搬送経路から離隔した待避状態に本体部２０を移動させる。
【００１７】
移動カム６８には、図１および図７に示すように、ディスクトレイ５０の係合凹溝部に係合する移動規制リブ６８Ａと、駆動伝達部６１の駆動力が伝達される移動ラッチ６８Ｂと、移動規制リブ６８Ａと移動ラッチ６８Ｂとの間に位置して、ディスクトレイ５０の進出側に開口するスイッチ動作凹部６８Ｃとが設けられている。スイッチ動作凹部６８Ｃの移動ラッチ６８Ｂ側の端部は、第１のスイッチ端部６８Ｃ１であり、移動規制リブ６８Ａ側の端部は第２のスイッチ端部６８Ｃ２である。
また、移動カム６８には、図１に示すように、移動規制リブ６８Ａ側の端部で、端面部１５Ｂ側に向かって検出部としての遮光突起部６８Ｄが突設されている。この遮光突起部６８Ｄは、図２に示すように、移動カム６８が移動する際、本体部２０の上側を移動する状態に設けられている。
【００１８】
そして、移動カム６８には、図７に示すように、取付保持部２２１の係合ピン２２１Ａがそれぞれ係合した係合孔６９が形成されている。この係合孔６９は、待避状態維持孔６９Ａと、傾斜案内孔６９Ｂと、処理状態維持孔６９Ｃとで構成されている。
待避状態維持孔６９Ａは、移動カム６８の下縁側に位置して移動カム６８の移動方向に沿っており、本体部２０が待避状態に維持される状態に設けられている。傾斜案内孔６９Ｂは、待避状態維持孔６９Ａに連続し移動カム６８の下縁側から上縁側に亘って傾斜しており、本体部２０が処理状態または待避状態に移動可能に設けられている。処理状態維持孔６９Ｃは、傾斜案内孔６９Ｂに連続し移動カム６８の上縁側に位置して移動カム６８の移動方向に沿っており、本体部２０が処理状態に維持される状態に設けられている。待避状態維持孔６９Ａは、図１３に示す従来の第２の待避状態維持孔９Ａ１よりも長さ寸法が大きく設定されている。そして、待避状態維持孔６９Ａの仮想延長線６９Ａ１に対する傾斜案内孔６９Ｂの傾斜角度αは、傾斜角度βよりも大きい状態である。
【００１９】
また、図１、２に示すように、シャーシ１５の開閉駆動配設部１５Ｄにおける、フロートベース２２の回動先端近傍には、光学的検出手段としてのセンサを構成する発光部７０が設けられている。発光部７０の光は、ディスクの搬送経路に向かって出射される。例えば、ディスクトレイ５０がシャーシ１５に進入を完了した際、発光部７０の光は、光路切欠き２２１Ｂおよびトレイ光路孔５１Ａ４を通過する。
【００２０】
そして、図２に示すように、本体部２０の上側には、ターンテーブル２４とともにディスクを挟持可能な図示しないクランパが設けられている。このクランパには、センサを構成し、発光部７０に対向した受光部２５Ａが配設されている。受光部２５Ａが発光部７０の光を受光した場合では、センサはＯＮ状態となり、受光部２５Ａが発光部７０の光を受光しない場合では、センサはＯＦＦ状態となる。
【００２１】
また、開閉駆動配設部１５Ｄには、図１０に示すように、処理状態検出スイッチ８０が配設されている。この処理状態検出スイッチ８０は、回動可能な検知操作子８１を有し、この検知操作子８１が移動カム６８のスイッチ動作凹部６８Ｃ内に位置する状態に配設されている。検知操作子８１が第１のスイッチ端部６８Ｃ１により押圧される状態では、スイッチＳＷ１がＯＮであり、スイッチＳＷ２はＯＦＦである。一方、検知操作子８１が第２のスイッチ端部６８Ｃ２に押圧される状態では、スイッチＳＷ１がＯＦＦであり、スイッチＳＷ２はＯＮである。そして、検知操作子８１が第１および第２のスイッチ端部６８Ｃ１、６８Ｃ２に押圧されない状態では、スイッチＳＷ１およびスイッチＳＷ２はともにＯＦＦである。例えば、ディスクトレイ５０がシャーシ１５の外に進出した状態では、係合ピン２２１Ａが待避状態維持孔６９Ａに位置するので、スイッチＳＷ１がＯＮであり、本体部２０が待避状態の位置である。そして、ディスクトレイ５０がシャーシ１５に進入した際には、係合ピン２２１Ａが待避状態維持孔６９Ａの傾斜案内孔６９Ｂ近傍に位置するので、スイッチＳＷ１およびスイッチＳＷ２はともにＯＦＦである。そして、ディスクトレイ５０がシャーシ１５に進入した後、さらに移動カム６８が移動すると、係合ピン２２１Ａが傾斜案内孔６９Ｂ案内孔から処理状態維持孔６９Ｃに移動する。この際、スイッチＳＷ２はＯＮとなり、本体部２０は処理状態である。
【００２２】
また、ディスク装置１００には、回転用電動モータ２４Ａ、出入用電動モータ６２の駆動や停止、センサのＯＮおよびＯＦＦ、ＳＷ１およびＳＷ２のＯＮおよびＯＦＦなどの認識をする図示しない移動規制手段としての制御部が設けられている。
【００２３】
[ディスク装置の動作]
次に、ディスクトレイ５０にディスクを載置しない状態において、シャーシ１５内にディスクトレイ５０を進入させた際の本体部２０の動作を説明する。
図３は、ディスクを載置しないディスクトレイがシャーシに進入を完了した状態を示す平面図である。図４は、ディスクを載置しないディスクトレイがシャーシに進入を完了した状態を示す側面図である。図５は、ディスクを載置しないディスクトレイが進入を完了して所定時間経過した後の移動カムの状態を示す平面図である。図６は、ディスクを載置しないディスクトレイが進入を完了して所定時間経過した後の移動カムの状態を示す側面図である。図１１は、ディスクトレイにディスクを載置しない状態での本体部の動作を示すタイミングチャートである。
【００２４】
操作者はディスク装置１００に電力を供給し、発光部７０の光を受光部２５Ａに向かって出射させる。そして、シャーシ１５からディスクトレイ５０を進出させる。ディスクトレイ５０が進出すると、図１、２に示すように、トレイ部５１にディスクを載置可能な状態となる。この状態では、図２に示すように、発光部７０の光は、ディスクトレイ５０の端面部１５Ｂ側の端部にあたって反射し、受光部２５Ａに受光されないのでセンサはＯＦＦである。また、本体部２０の係合ピン２２１Ａは、移動カム６８の待避状態維持孔６９Ａに位置する。そして、図１１に示すように、検知操作子８１は、第１のスイッチ端部６８Ｃ１に押圧されるのでＳＷ１はＯＮで、ＳＷ２はＯＦＦである。これにより、制御部は本体部２０が待避状態であることを認識する。
【００２５】
そして、操作者はディスクトレイ５０にディスクを載置することなく、シャーシ１５にディスクトレイ５０を挿入する。ディスクトレイ５０をシャーシ１５に挿入すると、移動カム６８が若干移動し第１のスイッチ端部６８Ｃ１に押圧されなくなる。この状態では、ＳＷ１およびＳＷ２はＯＦＦである。
さらに、図１１に示すように、シャーシ１５へのディスクトレイ５０の挿入が完了する直前では発光部７０の光がトレイ光路孔５１Ａ４を通過し、受光部２５Ａに受光されるので、センサはＯＦＦからＯＮとなる。そして、図３，４に示すように、シャーシ１５へのディスクトレイ５０の挿入が完了すると、発光部７０の光は、光路切欠き２２１Ｂおよびトレイ光路孔５１Ａ４を通過する。そして、移動カム６８がディスクトレイ５０の係合凹溝部にてさらに押圧されて、図３の右側から左側に移動する。
【００２６】
ディスクトレイ５０のシャーシ１５への挿入が完了した後、所定時間経過すると、図５，６に示すように、遮光突起部６８Ｄが光を遮光する。これにより、制御部は本体部２０が待避状態であることを再び認識する。この際、係合ピン２２１Ａが移動カム６８の待避状態維持孔６９Ａに位置するので、本体部２０は待避状態にある。また、この状態では、図１１に示すように、センサはＯＮからＯＦＦに変わる。そして、制御部は出入用電動モータ６２を停止させて、移動カム６８を停止させる。この際にも、係合ピン２２１Ａは、図７に示すように、待避状態維持孔６９Ａの鎖線で示す位置にあるので、本体部２０は待避状態である。これにより、本体部２０が上方に移動しないので、クランプ音が発生することがない。
【００２７】
次に、ディスクトレイ５０にディスクを載置した状態において、シャーシ１５内にディスクトレイ５０を進入させた際の本体部２０の動作を説明する。
図８は、ディスクを載置したディスクトレイがシャーシに進入を完了した状態を示す平面図である。図９は、ディスクを載置したディスクトレイがシャーシに進入を完了した状態を示す側面図である。図１２は、ディスクをディスクトレイに載置した状態での本体部のローディング動作を示すタイミングチャートである。
【００２８】
ディスク２００を載置しない場合でのディスクトレイ５０の進入動作と同様に、ディスクトレイ５０を進出させる。この際、図１２に示すように、検知操作子８１は、第１のスイッチ端部６８Ｃ１に押圧されるのでＳＷ１はＯＮで、ＳＷ２はＯＦＦである。これにより、制御部は本体部２０が待避状態であることを認識する。そして、トレイ部５１にディスク２００を載置する。これにより、ディスク２００はトレイ光路孔５１Ａ４を覆う状態となる。そして、シャーシ１５にディスクトレイ５０を挿入する。
【００２９】
シャーシ１５へのディスクトレイ５０の挿入が完了した際には、図８，９に示すように、発光部７０の光が光路切欠き２２１Ｂおよびトレイ光路孔５１Ａ４を通過するものの、ディスク２００に遮光されるため、受光部２５Ａに受光されない。したがって、図１２に示すように、センサがＯＦＦを維持する。そして、移動カム６８が移動を続け、係合ピン２２１Ａが傾斜案内孔６９Ｂを通過して、図１０に示す処理状態維持孔６９Ｃの鎖線で示す位置まで移動する。そして、本体部２０が上方に移動してディスク２００がクランプされ、ローディングが完了する。この際、検知操作子８１は、図１０に示すように第２のスイッチ端部６８Ｃ２に押圧される。そして、図１２に示すように、ＳＷ２はＯＮとなり、制御部は本体部２０が処理状態にあることを認識する。
【００３０】
[ディスク装置の作用効果]
以上のディスク装置１００によれば、以下の作用効果が期待できる。
【００３１】
（１）ディスク装置１００に、ディスク２００をシャーシ１５の内外へ搬送するディスクトレイ５０と、ディスク２００を保持するターンテーブル２４と、保持されたディスク２００に処理を実施するピックアップ３７と、ディスク２００の搬送経路から待避する待避状態、および、ディスク２００の搬送経路に進出してディスク２００を処理する処理状態にターンテーブル２４が取り付けられた本体部２０を移動させる移動カム６８と、ディスク２００の処理位置を検出するとともに、本体部２０の待避状態を検出する発光部７０および受光部２５Ａと、これら発光部７０および受光部２５Ａによりディスク２００がディスクトレイ５０に載置されていないことを検出するとともに本体部２０が待避状態であることを示す遮光突起部６８Ｄを検出すると、本体部２０を待避状態に維持させて移動カム６８を停止させる制御部と、を設けた。
このため、制御部は、受光部２５Ａが発光部７０の光を受光してディスクトレイ５０にディスク２００が載置されていない状態と、受光部２５Ａが遮光突起部６８Ｄにより遮光された状態とを認識して、移動カム６８を停止させる。
したがって、２つの状態を認識して本体部２０の移動を規制するので、誤動作が少なく、本体部２０を待避状態にて精度よく停止させることができる。
そして、本体部２０が待避状態にある状態で移動カム６８を停止させ、本体部２０を待避位置に維持させるので、本体部２０の移動による騒音、いわゆるクランプ音を発生させない。また、ディスクトレイ５０にディスク２００を載置しない場合では、本体部２０が移動しないので、ローディング時間の短縮や出入用電動モータ６２にかかる負荷を低減させることができる。
【００３２】
（２）そして、フロートベース２２には、発光部７０の光路上に光路切欠き２２１Ｂを形成した。
このため、発光部７０の光を受光部２５Ａに受光させるために、フロートベース２２と移動カム６８との間に新たなスペースを設ける必要がなく、シャーシ１５の大型化およびディスク装置１００の大型化を防止することができる。また、フロートベース２２における、発光部７０の光路上に光路切欠き２２１Ｂを形成したので、例えば、フロートベース２２に光を透過可能な透過部材を設ける場合と比較して、コストを抑えて、光を通過させることができる。また、孔を形成するので、フロートベース２２の軽量化を図ることができる。
【００３３】
（３）そして、移動カム６８には、本体部２０の待避状態を示す遮光突起部６８Ｄを突設した。
このため、移動カム６８の移動に伴って遮光突起部６８Ｄが移動して光を遮光するので、従来のディスク有無検出手段にてディスク２００の有無を検出する場合と比較して、簡単な構成で本体部２０を精度よく停止させることができる。
【００３４】
（４）さらに、待避状態維持孔６９Ａの長さ寸法を、ディスクトレイ５０がシャーシ１５への進入を完了した直後に係合ピン２２１Ａを傾斜案内孔６９Ｂに案内する場合での第２の待避状態維持孔９Ａ１の長さ寸法よりも大きく設定した。
図１３に示すように、従来の移動カム６８では、シャーシ１５内にディスクトレイ５０の進入が完了した際に係合ピン２２１Ａが第２の待避状態維持孔９Ａ１から傾斜案内孔９Ａ２に移動する。しかし、本発明の移動カム６８では、シャーシ１５内にディスクトレイ５０の進入が完了した後、遮光突起部６８Ｄが光を遮光した際に、係合ピン２２１Ａが傾斜案内孔６９Ｂに移動する構成を採っている。このため、従来よりも待避状態維持孔６９Ａの長さ寸法を大きく設定するという簡単な構成で、本体部２０が待避状態に位置する状態で移動カム６８を停止させることができる。
【００３５】
（５）また、傾斜案内孔６９Ｂを、待避状態維持孔６９Ａの仮想延長線６９Ａ１に対して角度αで交差させ、この角度αを、従来における傾斜案内孔６９Ｂの第２の待避状態維持孔９Ａ１の仮想延長線９Ａ３に対する角度βよりも大きい状態に設定した。
このため、待避状態維持孔６９Ａの長さ寸法が大きい場合でも、ローディング時間が長くなるという不都合を防止することができる。
【００３６】
（６）また、ディスクトレイ５０の小径載置底面５１Ａ３に、トレイ光路孔５１Ａ４を形成した。
このため、例えば、小径載置底面５１Ａ３に発光部７０の光を透過可能な透過部材を設ける場合と比較して、コストを抑えることができる。また、孔を形成するので、ディスクトレイ５０自体の軽量化を図ることができる。さらに、小径載置底面５１Ａ３にトレイ光路孔５１Ａ４を形成するので、ディスクトレイ５０に大径ディスク２００および小径ディスク２００のいずれも載置しない場合にも、移動カム６８を停止させることができ、ローディングによる騒音の発生を防止できる。
【００３７】
［他の実施形態］
なお、本発明は前述の一実施形態に限定されるものではなく、本発明の目的を達成できる範囲での変形、改良等は本発明に含まれるものである。
【００３８】
すなわち、フロートベース２２に光路切欠き２２１Ｂを形成し、小径載置底面５１Ａ３にトレイ光路孔５１Ａ４を形成したがこれに限られない。
例えば、フロートベース２２および小径載置底面５１Ａ３に、発光部７０の光を透過可能な透過部材を設けても良い。
さらに、フロートベース２２に光路切欠き２２１Ｂを形成する構成を示したが、発光部７０の光が透過可能な孔を形成してもよい。また、小径載置底面５１Ａ３にトレイ光路孔５１Ａ４を形成したが、発光部７０の光が透過可能な切欠きを形成してもよい。
【００３９】
また、遮光突起部６８Ｄが光を遮光した直後に係合ピン２２１Ａが待避状態維持孔６９Ａから傾斜案内孔６９Ｂに移動する状態に、移動カム６８の待避状態維持孔６９Ａの長さ寸法が設定されている構成を示したが、これに限られない。例えば、遮光突起部６８Ｄが光を遮光した後に、移動カム６８が所定距離移動した際に、係合ピン２２１Ａが待避状態維持孔６９Ａから傾斜案内孔６９Ｂに移動する状態に、待避状態維持孔６９Ａの長さ寸法が設定されていてもよい。
【００４０】
[実施形態の作用効果]
上記したように、ディスク装置１００に、ディスクトレイ５０と、ターンテーブル２４と、ピックアップ３７と、ディスク２００の搬送経路に対する待避状態および処理状態にターンテーブル２４が取り付けられた本体部２０を移動させる移動カム６８と、ディスク２００を検出するとともに、本体部２０の待避状態を検出する発光部７０および受光部２５Ａと、これら発光部７０および受光部２５Ａによりディスク２００がディスクトレイ５０に載置されていないことを検出するとともに本体部２０が待避状態であることを示す遮光突起部６８Ｄとを検出すると本体部２０を待避状態に維持させて移動カム６８を停止させる制御部と、を設けた。
このため、制御部は、受光部２５Ａが発光部７０の光を受光してディスクトレイ５０にディスク２００が載置されていない状態と、および、受光部２５Ａが遮光突起部６８Ｄにより遮光された状態との２つの状態を認識して移動カム６８を停止させるので、誤動作が少なく、本体部２０を待避状態にて精度よく停止させることができる。
【図面の簡単な説明】
【００４１】
【図１】本発明の一実施形態に係るディスク装置のシャーシの外にディスクトレイが進出した状態を示す平面図。
【図２】シャーシの外にディスクトレイが進出した状態を示す側面図。
【図３】ディスクを載置しないディスクトレイがシャーシに進入を完了した状態を示す平面図。
【図４】ディスクを載置しないディスクトレイがシャーシに進入を完了した状態を示す側面図。
【図５】ディスクを載置しないディスクトレイがシャーシに進入を完了して所定時間経過した後の移動カムの状態を示す平面図。
【図６】ディスクを載置しないディスクトレイがシャーシに進入を完了して所定時間経過した後の移動カムの状態を示す側面図。
【図７】ディスクトレイが進入を完了して所定時間経過した後の移動カムの状態を示す正面図。
【図８】ディスクを載置したディスクトレイがシャーシに進入を完了した状態を示す平面図。
【図９】ディスクを載置したディスクトレイがシャーシに進入を完了した状態を示す側面図。
【図１０】移動カムと処理状態検出スイッチとの関係を示す正面図。
【図１１】ディスクトレイにディスクを載置しない状態での本体部の動作を示すタイミングチャート。
【図１２】ディスクをディスクトレイに載置した状態での本体部のローディング動作を示すタイミングチャート。
【図１３】従来技術の移動カムを示す正面図。
【符号の説明】
【００４２】
２Ａ、２２１Ａ…係合ピン
９Ａ１……………第２の待避状態維持孔
９Ｂ、６９Ａ１…仮想延長線
１５………………シャーシ
２０………………処理手段保持部としての本体部
２５Ａ……………受光部
３７………………処理手段としてのピックアップ
５０………………ディスクトレイ
５１Ａ１…………大径ディス載置凹部としての大径載置凹部
５１Ａ３…………小径ディス載置面としての小径載置底面
５１Ａ４…………透過孔としてのトレイ光路孔
６８………………移動カム
６８Ｄ……………検出部としての遮光突起部
６９Ａ……………待避状態維持孔
９Ａ２、６９Ｂ…傾斜案内孔
７０………………発光部
１００……………ディスク装置
２００……………記録媒体としてのディスク
【図１】
2009223993.tif 000003
【図２】
2009223993.tif 000004
【図３】
2009223993.tif 000005
【図４】
2009223993.tif 000006
【図５】
2009223993.tif 000007
【図６】
2009223993.tif 000008
【図７】
2009223993.tif 000009
【図８】
2009223993.tif 000010
【図９】
2009223993.tif 000011
【図１０】
2009223993.tif 000012
【図１１】
2009223993.tif 000013
【図１２】
2009223993.tif 000014
【図１３】
2009223993.tif 000015